(57)【要約】【課題】  物品を供給するフィーダシステムを提供すること。【解決手段】  フィーダシステムは、複数の壁を有する容器と、アクチュエータと、セレクタと、シュートとを含むことができる。容器は、複数の物品を受ける。開口部が容器内に形成される。物品は、重力によって開口部を通ってセレクタへと流れる。セレクタは複数の物品を１つの物品に単体化する。シュートは、セレクタから単体化された物品を１つずつ受ける。アクチュエータは、容器に取り付けられ、開口部を通る複数の物品の流れを維持するように容器を揺動する。【選択図】図３
2015189582.tif 000002
【特許請求の範囲】
【請求項１】
複数の物品を受けるように適用され、容器のキャビティを画成する複数の壁を含む、該容器と；
該容器によって担持されるアクチュエータと；
複数の物品を１つの物品に単体化するセレクタと；
該セレクタから単体化された物品を１つずつ受けるように適用されるシュートと
を含むフィーダシステムであって、
開口部が該容器内に形成され、
セレクタは、重力によって該容器から該開口部を介して複数の物品を受けるように適用され、
アクチュエータは、該開口部を通る複数の物品の流れを維持するように該容器を揺動するように適用される、
前記フィーダシステム。
【請求項２】
複数の壁は、キャビティを別個の領域に分割する分割壁を含む、請求項１に記載のフィーダシステム。
【請求項３】
分割壁は、複数の壁のうちの少なくとも１つの壁の縁から、垂直に対してある角度で容器内において下方に延びる、請求項２に記載のフィーダシステム。
【請求項４】
分割壁は、固定要素によって複数の壁のうちの少なくとも１つの壁の縁に固定される、請求項３に記載のフィーダシステム。
【請求項５】
開口部は、分割壁の底縁と壁のうちの少なくとも１つの壁の表面との間に形成される、請求項２に記載のフィーダシステム。
【請求項６】
フラップは、複数の壁のうちの少なくとも１つの壁の表面の一部分の切れ目によって形成される、請求項１に記載のフィーダシステム。
【請求項７】
切れ目は、開口部の下に配置される、請求項６に記載のフィーダシステム。
【請求項８】
フラップを形成する切れ目は、Ｕ字形である、請求項６に記載のフィーダシステム。
【請求項９】
アクチュエータは、ブラケットによってフラップに取り付けられる、請求項６に記載のフィーダシステム。
【請求項１０】
ブラケットは、取り付け要素によって、複数の壁の１つの、フラップを挟んで両側に取り付けられる、請求項９に記載のフィーダシステム。
【請求項１１】
アクチュエータは、ソレノイド駆動される、請求項６に記載のフィーダシステム。
【請求項１２】
アクチュエータのプランジャは、フラップに取り付けられる、請求項１１に記載のフィーダシステム。
【請求項１３】
アクチュエータは、開口部を通る複数の物品の流れを維持するようにヒンジパネルとして働くフラップを動かすように適用される、請求項６に記載のフィーダシステム。
【請求項１４】
フラップは、リビングヒンジとして働く、請求項１３に記載のフィーダシステム。
【請求項１５】
複数の物品は、複数のキュベットを含む、請求項１に記載のフィーダシステム。
【請求項１６】
複数の物品を受けるキャビティを画成する複数の壁と；
容器によって担持されるアクチュエータと；
複数の物品を１つの物品に単体化するセレクタと
を含む該容器であって、
開口部は、該容器内に形成され、
セレクタは、重力によって該容器から該開口部を介して複数の物品を受けるように適用され、
アクチュエータは、該開口部を通る複数の物品の流れを維持するように該容器を揺動するように適用される、
前記容器。
【請求項１７】
フラップは、複数の壁のうちの、開口部の下に位置する少なくとも１つの壁の一部分の切れ目によって形成される、請求項１６に記載の容器。
【請求項１８】
アクチュエータは、フラップに取り付けられ、開口部を通る複数の物品の流れを維持するようにヒンジパネルとして働く該フラップを動かす、請求項１７に記載の容器。
【請求項１９】
供給システムにおいて複数の物品を供給する方法であって、
複数の物品を、キャビティを画成する複数の壁を含む容器の該キャビティに受け入れる工程と；
アクチュエータによって該容器を揺動する工程と；
セレクタによって複数の物品を１つの物品に単体化する工程と；
セレクタから単体化された物品を１つずつシュートに供給する工程と
を含み、
ここで、開口部は、該容器内に形成され、
セレクタは、重力によって該容器から該開口部を介して複数の物品を受け、
アクチュエータは、該開口部を通る物品の流れを維持するように該容器を揺動する、
前記方法。
【請求項２０】
フラップは、複数の壁のうちの少なくとも１つ壁の表面の一部分の切れ目によって形成され、アクチュエータは、該フラップに取り付けられ、開口部を通る複数の物品の流れを維持するようにヒンジパネルとして働く該フラップを動かし、方法は、カットする工程をさらに含む、請求項１９に記載の方法。
【発明の詳細な説明】
【技術分野】
【０００１】
本発明の態様は、フィーダシステムに関する。
【背景技術】
【０００２】
バルクリザーバから単体化（ｓｉｎｇｕｌａｔｅ）された部品を送達する小部品フィーダは、一般的に、重力を利用して部品を供給する。そうした供給には、しばしば、部品が比較的安定した構成に落ち着きそれによって部品の流れが妨げられるため、スループットが低いという難点がある。フィーダの中には、容器、例えばホッパの全体、または供給通路の振動など、他の手段によって達成される揺動を使用するものもある（例えば、振動ボウルフィーダ）。そうした構成は、容器に損傷を与えやすい恐れがある。フィーダの中には、容器に貫入するが容器自体とは一体になっていないアクチュエータを使用するものもある（例えば、往復運動するチューブフィーダ、センターボード容器フィーダ（ｃｅｎｔｅｒｂｏａｒｄ  ｃｏｎｔａｉｎｅｒ  ｆｅｅｄｅｒ）など）。このような構成の実施または製造は難しいことがある。
【０００３】
非特許文献１には、そうしたフィーダが開示されている。図１には、振動ボウルフィーダが開示されている。図２には、センターボード容器フィーダが開示されている。
【先行技術文献】
【非特許文献】
【０００４】
【非特許文献１】Ｇｅｏｆｆｒｙ  Ｂｏｏｔｈｒｏｙｄ、「Ａｓｓｅｍｂｌｙ  Ａｕｔｏｍａｔｉｏｎ  ａｎｄ  Ｐｒｏｄｕｃｔ  Ｄｅｓｉｇｎ、Ｓｅｃｏｎｄ  Ｅｄｉｔｉｏｎ」、Ｔａｙｌｏｒ＆Ｆｒａｎｃｉｓ  Ｇｒｏｕｐ  ２００５
【発明の概要】
【課題を解決するための手段】
【０００５】
簡潔に述べると、本発明の態様は、フィーダシステムに関する。
【０００６】
例示的な一実施形態によれば、フィーダシステムは、容器と、アクチュエータと、セレクタとシュートとを含む。容器は、容器のキャビティを画成する複数の壁を含む。容器は、複数の物品をキャビティに受け入れるように適用される。アクチュエータは、容器によって担持される。セレクタは、複数の物品を１つの物品に単体化する。開口部が容器内に形成される。シュートは、セレクタから単体化された物品を１つずつ受ける。セレクタは、重力によって容器から開口部を介して複数の物品を受けるように適用される。アクチュエータは、開口部を通る複数の物品の流れを維持するように容器を揺動するように適用される。
【０００７】
例示的な一実施形態によれば、容器は、複数の壁と、アクチュエータと、セレクタとを含む。複数の壁は、容器のキャビティを画成する。容器は、複数の物品をキャビティに受け入れるように適用される。アクチュエータは、容器によって担持される。セレクタは、複数の物品を１つの物品に単体化する。開口部が容器内に形成される。セレクタは、重力によって容器から開口部を介して複数の物品を受けるように適用される。アクチュエータは、開口部を通る複数の物品の流れを維持するように容器を揺動するように適用される。
【０００８】
例示的な一実施形態によれば、フィーダシステムにおいて複数の物品を供給する方法は、複数の物品を容器のキャビティに受け入れることを含む。容器は、キャビティを画成する複数の壁を含む。容器は、アクチュエータによって揺動される。複数の物品は、セレクタによって１つの物品に単体化される。単体化された物品は、シュートに１つずつ供給される。開口部が容器内に形成される。セレクタは、重力によって容器から開口部を介して複数の物品を受ける。アクチュエータは、開口部を通る物品の流れを維持するように容器を揺動する。
【０００９】
上述され、本明細書の以下に記載される応用例の様々な態様および実施形態は、明示的に記載された組み合わせだけでなく他の組み合わせにおいても使用され得る。当業者なら、説明を読み理解すれば変更形態を思い付くであろう。
【００１０】
本発明の例示的な実施形態を、添付の図面に関してより詳細に説明する。
【図面の簡単な説明】
【００１１】
【図１】従来の振動ボウルフィーダの斜視図である。
【図２】従来のセンターボード容器フィーダの斜視図である。
【図３】本発明の例示的な一実施形態のフィーダシステムの斜視図である。
【図４】図３に示される容器の断面図である。
【図５】図３に示される容器の底面図である。
【図６】アクチュエータの図である。
【図７】壁の底からの、図６に示されるアクチュエータの図である。
【図８】キュベットの斜視図である。
【発明を実施するための形態】
【００１２】
本明細書の以下には、添付の図面に関して、本発明の態様に関連する詳細な説明が記載されている。
【００１３】
図３は、本発明の例示的な一実施形態によるフィーダシステム１００の三次元斜視図である。図３に見られるように、フィーダシステム１００は、容器２００と、アクチュエータ３００と、セレクタ４００と、シュート５００とを含む。例示的な一実施形態では、容器２００はホッパであってよい。
【００１４】
図３に示される例示的な一実施形態によれば、容器２００は、キャビティ２０２を画成する複数の壁２０４、２０６を含む。例示的な一実施形態では、複数の壁は、キャビティ２０２を別個の領域に分割する分割壁２０６を含む。例えば、無制限に、別個の領域の１つは、分割壁２０６の上の領域を含むことができる。別個の領域の１つは、分割壁２０６の下の領域を含むことができる。例示的な一実施形態では、複数の壁のうちの少なくとも１つは、垂直に対して０度よりも大きく９０度よりも小さい角度を含むことができる。
【００１５】
図３に示される例示的な一実施形態によれば、アクチュエータ３００は、ブラケット３０２によって壁２０４に取り付けられ得る。例示的な一実施形態では、ブラケット３０２は、ねじなどの取付要素によって壁２０４に取り付けられ得る。しかし、取り付けは様々なやり方で行うことができると理解されたい。例えば、取り付けは、接着または溶接によって行うことができる。
【００１６】
図３に示される例示的な一実施形態によれば、セレクタ４００は、複数の物品を１つの物品に単体化するように適用され得る。例示的な一実施形態では、セレクタ４００は、モータ４０２によって駆動され、複数の物品を１つの物品に単体化するように振動する。例示的な一実施形態では、セレクタ４００は、容器２００に傾斜連結（ｒａｍｐ  ｃｏｎｎｅｃｔ）され得る。
【００１７】
図３に示される一実施形態によれば、シュート５００は、セレクタ４００から単体化された物品を１つずつ受けるように適用され得る。
【００１８】
図４は、図３に示されるフィーダシステム１００の容器２００の断面図である。図４に示される例示的な一実施形態によれば、分割壁２０６は、壁２０４の少なくとも１つの壁の縁から、垂直に対して０度よりも大きく９０度よりも小さい角度２０８で、容器２００内において下方に延びる。分割壁２０６は、その底縁２１４と容器２００の壁２０４の少なくとも１つの壁の表面との間に開口部２１０を作成する。容器に受けられた複数の物品は、重力の作用を受けて開口部２１０を通ってセレクタ４００に向かって流れる。
【００１９】
例示的な一実施形態によれば、開口部２１０は、分離壁２０６を位置決めすることによって、セレクタ４００に向かう複数の物品の流量を制御するように適用され得る。分離壁２０６の開口部２１０を介した複数の物品の流量を制御することで、セレクタ４００の上に積み重なる物品の数が制限されることになる。したがって、セレクタ４００の上に積み重なる物品の数を制限することにより、セレクタ４００の詰まりが回避される。
【００２０】
開口部２１０は、例えば、無制限に、セレクタ４００の流量に基づいて調節され得る、または開口部２１０を通る複数の物品の寸法に基づいて調節され得る。この場合、開口部２１０はセレクタ４００の流量に比例することができ、したがって、流量がより高い場合の開口部２１０は、流量がより低い場合の開口部２１０よりも大きくてよい。開口部２１０は、複数の物品の少なくとも最も小さい寸法に調節され得る。しかし、開口部２１０は、複数の物品の最も大きな寸法よりも大きい寸法に調節されてもよいこともある。複数の物品の寸法に従って開口部２１０を調節することで、セレクタ４００に向かう複数の物品の流量を制御することができる。
【００２１】
一実施形態によれば、分割壁２０６は、プラスチックで作られてよい。しかし、金属またはラミネートなどの他の材料も適している。例えば、無制限に、分割壁２０６は、オペレータがシュート５００に複数の物品が供給されるのを見るために、透明であってもよい。
【００２２】
例示的な一実施形態によれば、分割壁２０６は、固定要素２１２を含む。固定要素２１２は、分割壁２０６をそれぞれの壁２０４に固定する。固定要素２１２は、分割壁２０６がそれぞれの壁２０４の異なる場所に固定され得るように、調節可能な固定要素であってよい。したがって、分割壁２０６を異なる場所に固定することによって、それに応じて開口部２１０を調節することができる。例えば、無制限に、固定要素２１２は、クランプであってよい。
【００２３】
図５は、図３に示されるフィーダシステム１００の容器２００の底面図である。図５に示される例示的な一実施形態によれば、容器２００の壁２０４にはフラップ６００が形成され得る。フラップ６００は、例えば、無制限に、壁２０４の一部分の切れ目（ｃｕｔ）によって形成され得る。
【００２４】
フィーダシステム１００の動作中、開口部２１０に物品の安定構成ができることがある。開口部２１０における物品の安定構成は、開口部２１０を通る物品の流れを妨げることがある。それによって、セレクタ４００に向かう物品の流れが減少する恐れがある。フィーダシステム１００の動作中、フラップ６００は、アクチュエータ３００によって作動されると、開口部２１０を通る物品の流れを維持するように開口部２１０における物品の安定構成を撹乱する。この作動は以下により詳細に述べることにする。
【００２５】
容器２００は、例えば、無制限に、プラスチックまたはシートメタルなどの様々なタイプの材料で作られ得る。プラスチック容器は安価であり得る。さらに、フラップを形成するのに、プラスチック容器に切れ目を作るのは簡単であり得る。プラスチックフラップは、さらなる留め具がないリビングヒンジとして働く。シートメタル容器は、耐久性はあるが、フラップを形成するのに切れ目を作るのは容易ではない。さらに、シートメタルで作られた容器には、ヒンジおよび取付金物類の使用が必要となることがある。
【００２６】
図５に示される例示的な一実施形態によれば、フラップ６００は、可動端側６０２とヒンジ端側６０４とを含むことができる。図５に示される例示的な実施形態では、フラップ６００の可動端側６０２は、セレクタ４００のより近くに配置され、フラップ６００のヒンジ端側６０４は、可動端側６０２よりもセレクタ４００からさらに遠くに配置される。アクチュエータ３００の動力が小さくて済むそうした構成によって、開口部２１０を通ってセレクタ４００に向かう複数の物品の流量が適切になり得る。しかし、これは、フラップ６００の単なる１つの配置に過ぎないと理解されよう。例えば、無制限に、ヒンジ端側６０４がセレクタ４００のより近くに配置されてもよい。ヒンジ端側６０４は、例えば、無制限に、ヒンジ端側６０４および可動端側６０２がセレクタ４００から同じ間隔をあけて置かれるように、配置されてもよい。
【００２７】
図５に示される例示的な一実施形態によれば、フラップ６００は、Ｕ字形フラップ６００を形成する、壁２０４の切れ目であってよい。しかし、これは単なる例示目的に過ぎないと理解されよう。フラップ６００がヒンジ式に動くのであれば、三角形または半円形などの他の形状も使用可能である。フラップ６００の形状は、例えば、無制限に、様々なファクタに基づいて決定することができる。
【００２８】
ファクタは、フラップ６００を特定の形状に形成するのに壁２０４をカットする容易さまたは難しさを含むことができる。
【００２９】
ファクタは、開口部２１０を通る物品の流量に基づいていてよい。開口部２１０を通る物品の流量をより高くするには、開口部２１０を通る物品の流量がより低い場合のフラップの表面積よりも大きな表面積のフラップが必要となり得る。
【００３０】
ファクタは、フラップ６００がヒンジ式に動くパネルとして働く場合、例えばヒンジ端側６０４であるフラップ６００に加えられる応力に基づいていてよい。フラップ６００の可動端側６０２とヒンジ端側６０４との間の寸法がより大きいと、より小さな寸法のときよりも、小さな応力しかヒンジ端側６０４に加えられなくなり得る。
【００３１】
ファクタは、アクチュエータ３００の動力に基づいていてもよい。フラップ６００の表面積を全体的により大きな寸法にすると、ヒンジ式に動くパネルとして働くフラップ６００を作動させるのにアクチュエータ３００のより大きな動力が必要となり得ると理解されよう。
【００３２】
フラップ６００は、容器２００の任意の壁２０４上に配置されてよい。さらに、フラップ６００は、壁２０４に沿ったあらゆる位置に配置されてよい。図４に示される例示的な実施形態では、フラップ６００は、分割壁２０６の底縁２１４に対向する壁２０４上に配置されている。分割壁２０６の底縁２１４に対向する壁２０４は、開口部２１０に隣接することができる。例示的な実施形態によれば、フラップ６００は、底縁２１４に対向する壁２０４の、分割壁２０６の平面の突出部に沿って位置する領域内に配置される。しかし、この構成は、単なる例示目的に過ぎないと理解されよう。開口部２１０を通る物品の適切な流れを維持するために開口部２１０における物品の安定構成を撹乱するのに、フラップ６００の他の配置を使用することもできる。
【００３３】
図５に示される例示的な一実施形態によれば、アクチュエータ３００は、ブラケット３０２によってフラップ６００に取り付けられ得る。ブラケット３０２は、取付要素によって、壁２０４の、開口部２１０に沿って平行に延びるフラップ６００を挟んで両側に取り付けられ得る。
【００３４】
例えば、無制限に、アクチュエータ３００は、ソレノイド駆動され得る、またはリニアモータ駆動され得る。ソレノイド駆動のアクチュエータは、安価であり、実施が簡単である。リニアモータ駆動のアクチュエータは、耐久性はあるが高価であることがあり、ソレノイド駆動のアクチュエータに比べて実施するのは容易ではないことがある。
【００３５】
図６は、ソレノイド駆動のアクチュエータ３００の例示的な一実施形態の図である。図６に見られるように、ソレノイド駆動のアクチュエータ３００は、本体３０４とプランジャ３０６とを含む。本体３０４は、ブラケット３０２に取り付けられ得る。アクチュエータ３００のプランジャ３０６は、フラップ６００に取り付けられ得る。
【００３６】
図７は、壁２０４の底からの、図６に示されるソレノイド駆動のアクチュエータ３００の図である。図７に見られるように、アクチュエータ３００は、ブラケット３０２によって壁２０４に取り付けられ得る。例示的な一実施形態によれば、ブラケット３０２は、取付要素によって壁２０４に取り付けられ得る。図示の例示的な実施形態では、取付要素は、ねじ３０８であってよい。しかし、取り付けは、多くのやり方で行うことができると理解されよう。例えば、取り付けは、接着または溶接によって行うことができる。
【００３７】
例示的な実施形態によれば、ブラケット３０２は、フラップ６００のヒンジ端側６０４よりもフラップ６００の可動端側６０２により近い場所において、壁２０４に取り付けられ得る。この構成は、開口部２１０を通ってセレクタに向かう複数の物品の適切な流量を実現するようにフラップ６００を作動させるのに必要なアクチュエータ３００の動力が小さくて済む。しかし、この構成は単なる例示目的に過ぎないと理解されよう。例えば、無制限に、ブラケット３０２は、フラップ６００に沿ったあらゆる場所で壁２０４に取り付けられてよい。
【００３８】
本明細書の以下において、フィーダシステム１００の動作を簡潔に述べる。例示の目的のため、複数の物品としてキュベットを使用するフィーダシステム１００の動作を説明する。これは、単なる一例に過ぎず、限定するものではないと理解されよう。他のタイプの複数の物品もフィーダシステム１００において使用可能である。
【００３９】
図８は、医療分野で使用され得るキュベット７００の例示的な一実施形態の斜視図である。図８に見られるように、キュベット７００は、円筒形であってよい。例示的な一実施形態によれば、キュベット７００は、キュベット７００の上部にフランジ側７０２を有することができる。
【００４０】
フィーダシステム１００の動作中、複数のキュベット７００は、容器２００の、分割壁２０６の上面の方に注ぎ入れられる。容器２００によって受けられた複数のキュベット７００は、重力によって容器２００の開口部２１０を通ってセレクタ４００に向かう。セレクタ４００は、複数のキュベット７００を１つのキュベットに単体化する。単体化された１つのキュベット７００は、シュート５００に１つずつ供給され得る。シュート５００は、単体化された１つのキュベット７００をエスケープ機構に供給する。単体化された１つのキュベット７００は、エスケープ機構によって特定の場所においてローディングアームに提供される。
【００４１】
例示的な一実施形態では、セレクタ４００は振動し、それによって複数のキュベット７００が１つの物品に単体化される。セレクタ４００は、例えば、モータ４０２によって駆動され得る。セレクタ４００は、セレクタ４００の上に積み重なるキュベット７００が多くなり過ぎると詰まってしまうことがある。分割壁２０６は、開口部２１０を介してセレクタ４００の上に積み重なることができる複数のキュベット７００を制限する。例示的な一実施形態では、セレクタ４００の上に積み重なることができるキュベット７００の高さが制限され得る。
【００４２】
フィーダシステム１００の動作中、開口部２１０で複数のキュベット７００が安定構成に達することがある。開口部２１０におけるキュベット７００の安定構成は、開口部２１０を通るキュベット７００の流れを妨げることがある。それによって、セレクタ４００に向かうキュベット７００の流れが減少することがある。
【００４３】
フィーダシステム１００の動作中、アクチュエータ３００は、容器２００のフラップ６００を作動させる。フラップ６００は、作動されるとヒンジ式に動くパネルとして働く。フラップ６００が動くと、開口部２１０に積み重なったキュベット７００が撹乱され、開口部２１０を通るキュベット７００の流れが維持されるようになる。アクチュエータ３００は、フラップ６００の一部を動かしてフラップ６００の動きをもたらす。フラップ６００の可動部材の動きは、開口部２１０を通るキュベット７００の適切な流量をもたらすように決定され得る。フラップ６００の可動部材の動きは、さらに、フィーダシステム１００の動作中に、キュベット７００が、容器２００から、フラップ６００の可動部材と壁２０４の少なくとも１つとの間の間隙を通って落ちないように決定され得る。
【００４４】
一実施形態によれば、開口部２１０を通るキュベット７００の流量は、アクチュエータ３００の振動数または動力によって制御され得る。アクチュエータ３００の振動数がより高い、または動力がより大きいと、開口部２１０を通ってセレクタ４００に向かうキュベット７００の流量はより高くなり得る。アクチュエータ３００の振動数がより低い、または動力がより小さいと、開口部２１０を通ってセレクタ４００に向かうキュベット７００の流量はより低くなり得る。アクチュエータ３００の振動数または動力は、セレクタ４００の上に積み重なるキュベット７００が多くなり過ぎると、開口部２１０を通ってセレクタ４００に向かうキュベット７００の流量を低くするように減少され、それによってセレクタ４００の詰まりが防止され得る。
【００４５】
特定の実施形態について詳細に説明してきたが、当業者には、それらの細部に対する様々な変更および代替が本開示の全体的な教示を踏まえて開発され得ると理解されよう。例えば、異なる実施形態に関連して説明される要素は組み合わされてもよい。したがって、開示された特定の配置は、例示を意図するに過ぎず、特許請求の範囲および開示の範囲を限定するものとして解釈されるべきではなく、特許請求の範囲および開示の範囲は、添付の特許請求の範囲とそのあらゆる均等物の全容によって与えられるべきである。用語「含む（ｃｏｍｐｒｉｓｉｎｇ）」は、他の要素または工程を排除するものではなく、また冠詞「ａ」または「ａｎ」は、複数であることを排除するものではないことに留意されたい。
【符号の説明】
【００４６】
１００  フィーダシステム
２００  容器
２０２  容器のキャビティ
２０４  容器の壁
２０６  分割壁
２０８  垂直に対する分割壁の角度
２１０  分割壁の底縁と壁の表面との間の開口部
２１２  固定要素
２１４  分割壁の底縁
３００  アクチュエータ
３０２  ブラケット
３０４  アクチュエータの本体
３０６  アクチュエータのプランジャ
３０８  ねじ
４００  セレクタ
４０２  モータ
５００  シュート
６００  フラップ
６０２  フラップの可動端側
６０４  フラップのヒンジ端側
７００  キュベット
７０２  キュベットのフランジ側
【図１】
2015189582.tif 000003
【図２】
2015189582.tif 000004
【図３】
2015189582.tif 000005
【図４】
2015189582.tif 000006
【図５】
2015189582.tif 000007
【図６】
2015189582.tif 000008
【図７】
2015189582.tif 000009
【図８】
2015189582.tif 000010
【外国語明細書】
2015189582000001.pdf